(57)【要約】【課題】端末台及び端末によれば、端末台に対して載置される端末の位置決めを容易にすることができる。【解決手段】端末ユニット１は、支持面Ｚ上に配置される端末台２と、該端末台２の上に載置される端末４と、を備え、前記端末台２は、前記支持面Ｚに接地される接地部２１及び該接地部２１に対して鋭角に形成され前記端末が載置される載置部３１を有し、前記端末４は、第一主面４５及び該第一主面４５の裏側に位置する第二主面４１を有し、前記第二主面４１が前記載置部３１の載置面３５に対向した状態で、前記端末４と前記載置部３１とは、前記第二主面４１及び前記載置面３５に対して交差する少なくとも一つの面が互いに面一に配置されていることを特徴とする。【選択図】図１
2014180161.tif 000002
【特許請求の範囲】
【請求項１】
支持面上に配置される端末台と、
該端末台の上に載置される端末と、を備え、
前記端末台は、
前記支持面に接地される接地部及び該接地部に対して鋭角に形成され前記端末が載置される載置部を有し、
前記端末は、
第一主面及び該第一主面の裏側に位置する第二主面を有し、
前記第二主面が前記載置部の載置面に対向した状態で、前記端末と前記載置部とは、前記第二主面及び前記載置面に対して交差する少なくとも一つの面が互いに面一に配置されていることを特徴とする端末ユニット。
【請求項２】
請求項１に記載の端末ユニットにおいて、
前記端末の面一とされた面及び前記載置部の面一とされた面は、前記支持面に対して垂直に形成されていることを特徴とする端末ユニット。
【請求項３】
請求項１または請求項２に記載の端末ユニットにおいて、
前記第二主面が前記載置部の載置面に対向した状態で、前記接地部は、前記端末及び前記載置部と面一とされた面を有することを特徴とする端末ユニット。
【請求項４】
請求項１から請求項３のいずれか一項に記載の端末ユニットにおいて、
前記端末台は前記支持面に配置された状態で、
前記接地部は、基端から末端まで前記支持面に沿って延び、
前記載置部は、前記接地部の前記基端側から前記末端側に向かうにしたがって上方に向かうように形成され、
前記接地部と前記載置部との間には、前記末端側に向かって開口する空間部が形成されていることを特徴とする端末ユニット。
【請求項５】
請求項４に記載の端末ユニットにおいて、
前記端末は、前記端末台との間で音声信号を通信可能な第一通信部を有し、
前記端末台は、前記端末との間で音声信号を通信可能な第二通信部を有し、
前記接地部の前記載置部と対向する面及び前記載置部の前記接地部と対向する面の少なくともいずれか一方には、音響部が設けられていることを特徴とする端末ユニット。
【請求項６】
請求項４または請求項５に記載の端末ユニットにおいて、
前記接地部の前記載置部と対向する面及び前記載置部の前記接地部と対向する面の少なくともいずれか一方には、滑りを防止する滑り止め部が設けられていることを特徴とする端末ユニット。
【請求項７】
請求項１から請求項６のいずれか一項に記載の端末ユニットにおいて、
前記端末と前記載置部とは、前記第二主面と平行な面により互いに分割された六面体状をなしていることを特徴とする端末ユニット。
【請求項８】
請求項１から請求項７のいずれ一項に記載の端末ユニットにおいて、
前記端末の縁部には、被写体を撮像する撮像部が設けられていることを特徴とする端末ユニット。
【請求項９】
請求項８に記載の端末ユニットにおいて、
前記第二主面が前記載置部の載置面に対向した状態で、前記撮像部の光軸は、前記支持面と平行とされていることを特徴とする端末ユニット。
【請求項１０】
請求項１から請求項９のいずれか一項に記載の端末ユニットにおいて、
前記端末の面一とされた面及び前記載置部の面一とされた面のいずれか一方には凸部が設けられ、前記端末の面一とされた面及び前記載置部の面一とされた面のいずれか他方には前記凸部と嵌合する凹部が設けられていることを特徴とする端末ユニット。
【請求項１１】
請求項１０に記載の端末ユニットにおいて、
前記端末には、前記凸部が設けられ、
前記端末台には、前記凹部が設けられ、
前記凸部には、被写体を撮像する撮像部が設けられていることを特徴とする端末ユニット。
【請求項１２】
請求項１０または請求項１１に記載の端末ユニットにおいて、
前記凸部の前記凹部と嵌合する面は水平に形成されていることを特徴とする端末ユニット。
【請求項１３】
請求項１から請求項１２のいずれか一項に記載の端末ユニットにおいて、
前記端末は、充電可能な電源部を有し、
前記端末台は、該電源部を充電する充電部及び所定の条件下で発光する発光部を有し、
前記端末台の基端側から前記発光部の発光を視認することができることを特徴とする端末ユニット。
【請求項１４】
請求項１から請求項１３のいずれか一項に記載の端末ユニットにおいて、
前記第二主面が前記載置部の載置面に対向した状態で、前記端末の基端側の面と前記端末台の基端側の面とは互いに面一に配置され、
前記端末の基端側の端部には、外部部材との接続部が設けられていることを特徴とする端末ユニット。
【請求項１５】
支持面上に接地される接地部と、
該接地部に対して鋭角に形成された載置部とを備え、
端末が前記載置部の載置面に対向した状態で、前記載置部の前記載置面に対して交差する少なくとも一つの面は、前記端末の面と面一に配置されていることを特徴とする端末台。
【請求項１６】
第一主面と、
該第一主面の裏側に位置する第二主面とを備え、
前記第二主面が端末台に載置された状態で、前記第二主面に対して交差する少なくとも一つの面は、前記端末台の面と面一に配置されていることを特徴とする端末。
【発明の詳細な説明】
【技術分野】
【０００１】
本発明は、端末ユニット、端末台及び端末に関する。
【背景技術】
【０００２】
一般に、携帯電話等の電子機器を充電する際には、充電部を有する充電台に電子機器を載置して行うことが多い。
例えば、充電器本体ケース（充電台）に形成された収納凹部に電子機器の端部を挿入配置させて、充電器本体ケースの充電部から電子機器の受電部に電力を供給することで、充電が行われている（下記特許文献１参照）。
【先行技術文献】
【特許文献】
【０００３】
【特許文献１】特開２０００−２２４７７６号公報
【発明の概要】
【発明が解決しようとする課題】
【０００４】
しかしながら、特許文献１の充電器本体ケースと電子機器とでは、収納凹部が充電器本体ケースの上面から下方に向かって凹むように形成されているため、例えば収納凹部が視認できない場合には、電子機器の端部を収納凹部内にスムーズに挿入配置することができない。この際には、充電器本体ケースの上面における収納凹部の周縁に、電子機器の端部を滑らせて収納凹部の位置を探さなければならず、充電器本体ケースの収納凹部に対して電子機器を容易に位置決めできないという問題点がある。
【０００５】
本発明は上記の課題を解決するためになされたものであって、端末台に対して載置される端末の位置決めを容易にすることができる端末ユニット、端末台及び端末を提供する。
【課題を解決するための手段】
【０００６】
本発明は、上記課題を解決するため、以下の手段を採用する。
すなわち、本発明に係る端末ユニットは、支持面上に配置される端末台と、該端末台の上に載置される端末と、を備え、前記端末台は、前記支持面に接地される接地部及び該接地部に対して鋭角に形成され前記端末が載置される載置部を有し、前記端末は、第一主面及び該第一主面の裏側に位置する第二主面を有し、前記第二主面が前記載置部の載置面に対向した状態で、前記端末と前記載置部とは、前記第二主面及び前記載置面に対して交差する少なくとも一つの面が互いに面一に配置されていることを特徴とする。
【０００７】
また、本発明に係る端末台は、支持面上に接地される接地部と、該接地部に対して鋭角に形成された載置部とを備え、端末が前記載置部の載置面に対向した状態で、前記載置部の前記載置面に対して交差する少なくとも一つの面は、前記端末の面と面一に配置されていることを特徴とする。
【０００８】
また、本発明に係る端末は、第一主面と、該第一主面の裏側に位置する第二主面とを備え、前記第二主面が端末台に載置された状態で、前記第二主面に対して交差する少なくとも一つの面は、前記端末台の面と面一に配置されていることを特徴とする。
【発明の効果】
【０００９】
本発明に係る端末ユニット、端末台及び端末によれば、端末台に対して載置される端末の位置決めを容易にすることができる。
【図面の簡単な説明】
【００１０】
【図１】本発明の第一実施形態に係る端末ユニットの最小構成を示す正面図である。
【図２】本発明の第一実施形態に係る端末ユニットの最小構成を示す右側面図である。
【図３】本発明の第二実施形態に係る端末ユニットの正面図である。
【図４】本発明の第二実施形態に係る端末ユニットの背面図である。
【図５】本発明の第二実施形態に係る端末ユニットの左側面図である。
【図６】本発明の第二実施形態に係る端末ユニットの右側面図である。
【図７】本発明の第二実施形態に係る端末ユニットの平面図である。
【図８】本発明の第二実施形態に係る端末ユニットの底面図である。
【図９】本発明の第二実施形態に係る端末ユニットを構成する端末台の斜視図である。
【図１０】本発明の第二実施形態に係る端末ユニットを構成する端末台の正面図である。
【図１１】本発明の第二実施形態に係る端末ユニットを構成する端末台の背面図である。
【図１２】本発明の第二実施形態に係る端末ユニットを構成する端末台の右側面図である。
【図１３】本発明の第二実施形態に係る端末ユニットを構成する端末台の平面図である。
【図１４】本発明の第二実施形態に係る端末ユニットを構成する端末台の底面図である。
【図１５】本発明の第二実施形態に係る端末ユニットを左右方向で切断した断面図である。
【図１６】本発明の第二実施形態に係る端末ユニットを上下方向で切断した断面図である。
【図１７】本発明の第二実施形態に係る端末ユニットを構成する端末の斜視図である。
【図１８】本発明の第二実施形態に係る端末ユニットを構成する端末の正面図である。
【図１９】本発明の第二実施形態に係る端末ユニットを構成する端末の背面図である。
【図２０】本発明の第二実施形態に係る端末ユニットを構成する端末の左側面図である。
【図２１】本発明の第二実施形態に係る端末ユニットを構成する端末の右側面図である。
【図２２】本発明の第二実施形態に係る端末ユニットを構成する端末の平面図である。
【図２３】本発明の第二実施形態に係る端末ユニットを構成する端末の底面図である。
【発明を実施するための形態】
【００１１】
以下、図面を参照して、本発明による端末ユニット、端末台及び端末を実施するための最良の形態を説明する。しかし、本発明はこれらの実施例のみに限定されるものではない。
【００１２】
（第一実施形態）
図１、図２は、本実施形態に係る端末ユニットの最小構成を示す図である。
図１及び図２に示すように、端末ユニット１、支持面Ｚ上に載置される端末台２と、端末台２の上に載置される端末４と、を少なくとも備えていればよい。本実施形態では、端末の一例としてスマートフォンを例に挙げて説明する。
ここで、図１に示す紙面左右方向を端末ユニット１の左右方向とし、紙面上下方向を端末ユニット１の上下方向とし、紙面の手前側から奥側に向かう方向を端末ユニット１の前後方向とする。
【００１３】
端末台２は、支持面Ｚに接地される接地部２１と、接地部２１に対して鋭角をなしていて端末が載置される載置部３１とを有している。
載置部３１は、左右両側に配される一対の側面３３Ｌ，３３Ｒと、下側に配される基端面３２と、上側に配される末端面３４と、スマートフォン４が載置される載置面３５とを有している。
【００１４】
スマートフォン４は、載置面３５とほぼ同じ輪郭の平面形状をなし、載置面３５に載置される底面４１と、この底面４１と平行に配置された表示面４５とを有している。これら底面４１と表示面４５とは、面に沿う方向に互いに位置をずらして配置されている。
なお、本実施形態では、スマートフォン４の底面４１が第二主面を構成し、スマートフォン４の表示面４５が第一主面を構成している。
【００１５】
また、これら底面４１と表示面４５の両側の側面４３L，４３Ｒは、平行四辺形をなしていて、かつ、端末台２に載せた状態で端末台２の載置部３１の側面３３Ｌ，３３Ｒとともに一つの平行四辺形を形成するように組み合わせられている。
【００１６】
また、底面４１の下部と表示面４５の下部とは下縁面４２で連結され、底面４１の上部と表示面４５の上部とは上縁面４４で連結されている。
【００１７】
すなわち、底面４１が載置面３５に接した状態でスマートフォン４を端末台２に載せることにより、載置部３１の側面３３Ｒとスマートフォン４の側面４３Ｒとが面一に配置され、載置部３１の側面３３Ｌとスマートフォン４の側面４３Ｌとが面一に配置される。このようにして、端末台２の載置部３１の載置面３５に対向した状態で、スマートフォン４と載置部３１とは、底面４１及び載置面３５に対して交差する少なくとも一つの面が互いに面一に配置されている。
【００１８】
このように構成された端末ユニット１では、利用者は、端末台２の載置部３１の側面２３Ｒとスマートフォン４の側面４３Ｒとを互いに面一になるように、端末台２の上にスマートフォン４を載置すればよい。よって、端末台２に対して載置されるスマートフォン４の位置決めが、視覚や触覚により行うことができるため、端末台２に対して載置されるスマートフォン４の位置決めを容易にすることができる。この結果、スマートフォン４を端末台２の安定位置に位置決めし、または導電性の電極板などを介して確実に電気的に接続することができる。
【００１９】
（第二実施形態）
以下、本発明の第二実施形態に係る端末ユニットについて、端末の一例としてスマートフォンを例に挙げて、主に図３から図２３を用いて説明する。
この実施形態において、前述した実施形態で用いた部材と同一の部材には同一の符号を付して、その説明を省略する。
【００２０】
図３から図８に示すように、端末ユニット１００は、支持面Ｚ上に載置される端末台２００と、端末台２００の上に載置されるスマートフォン４００とを備えている。
ここで、図３に示す紙面左右方向を端末ユニット１００の左右方向とし、紙面上下方向を端末ユニット１００の上下方向とし、紙面の手前側から奥側に向かう方向を端末ユニット１００の前後方向とする。
【００２１】
（端末台）
図９から図１４に示すように、端末台２００は、支持面Ｚに接地される接地部２０１と、接地部２０１に対して鋭角をなし、スマートフォン４００が載置される載置部３０１とを有している。
【００２２】
接地部２０１は、本実施形態では、所定の上下方向の厚みを有し、平面視略矩形状に形成されている。詳細には、接地部２０１は、支持面Ｚに接地される接地面２１１と、接地面２１１の前部（基端）から上方に向かって立設された基端面２１２と、基端面２１２の左右両端から後方に向かって延びる左右一対の側面２１３Ｌ，２１３Ｒと、一対の側面２１３Ｒ，２１３Ｌの後部（末端）を連結する末端面２１４とを有している。さらに、接地部２０１は、基端面２１２の上部、一対の側面２１３Ｒ，２１３Ｌの上部及び末端面２１４の上部を連結するとともに、接地面２１１と反対側に配された上面２１５を有している。
【００２３】
これら基端面２１２、一対の側面２１３Ｒ，２１３Ｌ及び末端面２１４は、それぞれ支持面Ｚから垂直に形成されている。
また、上面２１５には、利用者との間で音声を授受する音声インターフェイス、例えばスピーカ、マイクロフォン又は両者の機能をあわせもつ振動と電気信号との変換が可能な音響部２２１が設けられている。
【００２４】
載置部３０１は、接地部２０１の基端面２１２から上方に延びるように基端面２１２と一体に形成された基端面３１２と、基端面３１２の左右両端から後方に向かうにしたがって上方に向かうように形成された左右一対の側面３１３Ｌ，３１３Ｒと、一対の側面３１３Ｒ，３１３Ｌの後部を連結する末端面３１４とを有している。さらに、載置部３０１は、基端面３１２の上部、一対の側面３１３Ｒ，３１３Ｌの上部及び末端面３１４の上部を連結する載置面３１５と、載置面３１５の裏側である反対側に位置する裏面３１１とを有している。
【００２５】
また、載置面３１５、左右一対の側面３１３Ｌ，３１３Ｒ及び裏面３１１は、基端面３１２から末端面３１４に向かうにしたがって上方に向かうように形成されている。そして、裏面３１１と接地部２０１の上面２１５との間には、左右方向及び後方に向かって開口する空間部Ｓが形成されている。
【００２６】
これら載置部３０１の基端面３１２、一対の側面３１３Ｒ，３１３Ｌ及び末端面３１４は、それぞれ支持面Ｚに対して垂直に形成されている。また、載置部３０１の基端面３１２と接地部２０１の基端面２１２とは、互いに面一に配置されている。また、載置部３０１の側面３１３Ｒ（３１３Ｌ）と接地部２０１の側面２１３Ｒ（２１３Ｌ）とは、互いに面一に配置されている。さらに、載置部３０１の末端面３１４と接地部２０１の末端面２１４とは、互いに面一に配置されている。
【００２７】
図９及び図１５に示すように、載置面３１５の周囲は、突出した縁部３２０によって縁取りされている。この縁部３２０と載置面３１５との間は、載置面３１５から鈍角に立ち上がるように屈曲した第一段壁３２１と、この第一段壁３２１の端部から屈曲した第二段壁３２２とを有する曲面によりなだらかに接続されている。
【００２８】
さらに、縁部３２０の周囲は、側面３１３Ｌ、３１３Ｒ、基端面３１２及び末端面３１４に連なっている。
【００２９】
そして、載置面３１５と縁部３２０とにより、スマートフォン４００を受け入れ、上下方向及び前後方向に向かって凹む凹部３３０が形成される。この凹部３３０は、載置面３１５の上端の左右方向略中央に形成されている。
【００３０】
凹部３３０は、表示面４１５から後方に向かって屈曲して略水平に形成された第一壁部３３１と、第一壁部３３１の左右端から立設して形成された一対の第二壁部３３２，３３２とを有している。この第二壁部３３２の上端は、載置部３０１の上端に形成された末端面３１４に連結されている。
【００３１】
また、図９に示すように、載置部３０１には、スマートフォン４００との間で音声信号を通信可能な台側通信部３４１（第二通信部）が内蔵されている。
【００３２】
また、図１１に示すように、載置部３０１の裏面３１１には、滑りを防止する滑り止め部３４２が設けられている。滑り止め部３４２は、例えば摩擦係数の高い部材等により構成されている。
【００３３】
また、端末台２００には、後述する二次電池を有するスマートフォン４００を充電する充電部（不図示）が内蔵されている。充電部は、スマートフォン４００（図１参照）に内蔵されたコイルに非接触で接続され、電磁誘導等さようによりスマートフォン４００内の二次電池を充電可能とされている。
【００３４】
（スマートフォン）
図１７から図２３に示すように、スマートフォン４００は、載置面３１５とほぼ同じ輪郭の平面形状をなし、載置面３１５に載置される底面４１１と、この底面４１１と平行に配置され、表示部４１５Ａを備えた表示面４１５とを有している。これら底面４１１と表示面４１５とは、面に沿う方向に位置をずらして配置されている。
なお、本実施形態では、スマートフォン４００の底面４１１が第二主面を構成し、スマートフォン４００の表示面４１５が第一主面を構成している。
表示部４１５Ａとしては、例えば液晶ディスプレイ、有機ＥＬディスプレイ等が挙げられる。
【００３５】
また、これら底面４１１と表示面４１５の両側の側面４１３L，４１３Ｒは、平行四辺形をなしていて、かつ、端末台２００に載せた状態で端末台２００の載置部３０１の側面３１３Ｌ，３１３Ｒとともに一つの平行四辺形を形成するように組み合わせられている。
【００３６】
また、底面４１１の下部と表示面４１５の下部とは下縁面４１２で連結され、底面４１１の上部と表示面４１５の上部とは上縁面４１４で連結されている。
【００３７】
図３及び図５に示すように、スマートフォン４００の底面４１１が端末台２００の載置面３１５に対向した状態で、上縁面４１４、一対の側面４１３Ｒ，４１３Ｌ及び下縁面４１２は、それぞれ支持面Ｚから垂直に形成されている。
【００３８】
すなわち、底面４１１が載置面３１５に接した状態でスマートフォン４００を端末台２００に載せることにより、スマートフォン４００の上縁面４１４、載置部３０１の末端面３１４及び接地部２０１の末端面２１４は、互いに面一に配置され、支持面Ｚに対して垂直に形成されている。また、スマートフォン４００の側面４１３Ｒ（４１３Ｌ）、載置部３０１の側面３１３Ｒ（３１３Ｌ）及び接地部２０１の側面２１３Ｒ（２１３Ｌ）は、互いに面一に配置され、支持面Ｚに対して垂直に形成されている。さらに、スマートフォン４００の下縁面４１２、載置部３０１の基端面３１２及び接地部２０１の基端面２１２は、互いに面一に配置され、支持面Ｚに対して垂直に形成されている。
【００３９】
このように、スマートフォン４００と端末台２００とは、スマートフォン４００の上縁面４１４、下縁面４１２、側面４１３Ｒ，４１３Ｌ、表示面４１５及び端末台２００の接地面２１１で構成される六面体状をなしている。また、スマートフォン４００と端末台２００とは、スマートフォン４００の底面４１１と平行な面により分割可能とされている。
【００４０】
図１５及び図１６に示すように、スマートフォン４００の底面４１１の周囲は、溝状の縁部４２０で縁取られている。この縁部４２０と底面４１１との間は、底面４１１から鈍角に立ち上がるように屈曲して形成された第三段壁４２１と、第三段壁４２１の端部から屈曲して形成された第四段壁４２２とを有する曲面によりなだらかに接続されている。
そして、底面４１１と縁部４２０とにより、端末台２００の凹部３３０に対応する形状の凸部４３０が形成される。
【００４１】
凸部４３０は、底面４１１に対して鈍角に立ち上がるように屈曲して形成された第三壁部４３１と、第三壁部４３１の左右端から屈曲して形成された一対の第四壁部４３２と、第三壁部４３１及び一対の第四壁部４３２を連結するように形成された第五壁部４３３とを有している。この第五壁部４３３は、スマートフォン４００の上縁面４１４に連結され、上縁面４１４と一体とされている。
【００４２】
スマートフォン４００は、底面４１１を載置面３１５に向けて端末台２００に載せることにより、第一段壁３２１、第二段壁３２２を第三段壁４２１、第四段壁４２２に接触させて案内させながら、凸部４３０を端末台２００の凹部３３０にはめ込むことができる。
【００４３】
つまり、スマートフォン４００の底面４１１が端末台２００の載置面３１５に対向した状態で、スマートフォン４００の凸部４３０は、端末台２００の凹部３３０に嵌合されている。詳細には、スマートフォン４００の第三壁部４３１が端末台２００の第一壁部３３１と当接し、スマートフォン４００の一対の第四壁部４３２が端末台２００の一対の第二壁部３３２と当接している。
【００４４】
このような操作により、スマートフォン４００は、底面４１１を載置面３１５に向けた状態で第一段壁３２１、第二段壁３２２と第三段壁４２１、第四段壁４２２の少なくとも一部を接触させた状態となって端末台２００に載せられる。なお、端末台２００側の縁部３２０の深さと、スマートフォン４００側の縁部４２０の深さとの相対関係（寸法公差）により、これらの縁部３２０と縁部４２０とが互いに接触して載置面３１５と底面４１１との間に間隙が生じた状態、又は載置面３１５と底面４１１とが接触して縁部３２０と縁部４２０との間に間隙が生じた状態のいずれかの載置状態となる。
【００４５】
すなわち、載置面３１５と底面４１１とが密着するように寸法を設定することにより、端末台２００からスマートフォン４００への非接触給電や非接触通信の効率を高め、または端末台２００とスマートフォン４００との間の導体板電極等による給電や通信のための電気的接続の信頼性を高めることができる。
【００４６】
一方、縁部３２０と縁部４２０とが密着するように寸法を設定することにより、端末台２００とスマートフォン４００との間の外部から視認できる隙間（継ぎ目の線）を目立たなくして、端末台２００にスマートフォン４００を載置した状態における端末台２００とスマートフォン４００との一体感を高めることができる。
【００４７】
また、スマートフォン４００の上下端に形成された縁部４２０が端末台２００に形成された縁部３２０と互いに当接することで、スマートフォン４００は端末台２００に対して上下方向の移動が規制されつつ端末台２００に載置される。同様に、スマートフォン４００の左右端に形成された縁部４２０が端末台２００に形成された縁部３２０と互いに当接することで、スマートフォン４００は端末台２００に対して左右方向の移動が規制されつつ端末台２００に載置される。つまり、スマートフォン４００は、端末台２００に対して上下方向及び左右方向の移動が規制されつつ端末台２００に載置される。
【００４８】
また、凸部４３０の第五壁部４３３には、被写体を撮像する撮像部４２６が設けられている。撮像部４２６は、例えば被写体の動画、静止画が等を撮像することができる。図５に示すように、スマートフォン４００の底面４１１が端末台２００の載置面３１５に対向した状態で、撮像部４２６の光軸４２６Ａは、支持面Ｚと平行とされている。
【００４９】
また、図１７に示すように、スマートフォン４００は、表示面４１５と底面４１１との間には、端末台２００（図９参照）との間で音声信号を通信可能な端末側通信部４４１（第一通信部）が設けられている。この端末側通信部４４１は、端末台２００に設けられた台側通信部３４１（図９参照）と音声信号の受信及び送信が可能とされている。
【００５０】
また、図１８，２０に示すように、スマートフォン４００の下縁面４１２には、突出するように形成された係合部４５１（接続部）が設けられている。この係合部４５１には、左右方向に貫通する貫通孔４５１Ａが形成されている。係合部４５１の貫通孔４５１Ａに例えばストラップ等の外部部材を挿通して、係合部４５１の回りに巻くことで、外部部材は係合部４５１に取り付け可能とされている。
【００５１】
また、スマートフォン４００には、図示しない二次電池（電源部）が内蔵されている。この二次電池は、端末台２００（図９参照）に設けられた充電部との間で非接触給電によりを充電可能とされている。
【００５２】
また、図２１に示すように、スマートフォン４００の側面４１３Ｒには、外部の接続端子を接続可能な端子部４６１が設けられている。さらに、側面４１３Ｒには、音量を調節する音量調節部４６２が設けられている。
【００５３】
このように構成された端末ユニット１００では、スマートフォン４００の底面４１１を端末台２００の載置面３１５に対向させるように端末台２００の上にスマートフォン４００を載せた状態で、スマートフォン４００の上縁面４１４と端末台２００の末端面３１４，２１４とは互いにに面一に配置されている。また、スマートフォン４００の側面４１３Ｒ（４１３Ｌ）と端末台２００の側面３１３Ｒ（３１３Ｌ），２１３Ｒ（２１３Ｌ）とは互いに面一に配置されている。さらに、スマートフォン４００の下縁面４１２と端末台２００の基端面３１２，２１２とは互いに面一に配置されている。つまり、スマートフォン４００及び端末台２００は、スマートフォン４００の底面４１１及び端末台２００の載置面３１５と交差する面が互いに面一に配置されている。よって、利用者は、スマートフォン４００と端末台２００とで互いに面一となる面を揃えるようにして、例えば端末台２００の側面２１３Ｒ，３１３Ｒとスマートフォン４００の側面４１３Ｒとを互いに面一になるようにして、端末台２００の上にスマートフォン４００を載置すればよい。したがって、端末台２００に対して載置されるスマートフォン４００の位置決めが、視覚や触覚により容易にすることができる。
【００５４】
また、スマートフォン４００に設けられた凸部４３０は、端末台２００に設けられた凹部３３０に嵌合される。よって、スマートフォン４００は端末台２００に対して左右方向及び上下方向の移動が規制された状態で端末台２００の上に載置されるため、スマートフォン４００は端末台２００に安定的に支持される。
【００５５】
また、スマートフォン４００の凸部４３０の第三壁部４３１及び第三壁部４３１が嵌合する端末台２００の凹部３３０の第一壁部３３１は略水平に形成されている。よって、端末台２００の第一壁部３３１は、スマートフォン４００の重力の向きと直交する方向で形成された第一壁部３３１でスマートフォン４００を確実に支持することができる。したがって、スマートフォン４００が端末台２００から下方に向かってずり落ちることを防止することができる。
【００５６】
また、上記のように端末台２００の上にスマートフォン４００を載せた状態で、スマートフォン４００の上縁面４１４、一対の側面４１３Ｒ，４１３Ｌ、下縁面４１２、端末台２００の載置部３０１の末端面３１４、一対の側面３１３Ｒ，４１３Ｌ、基端面３１２、接地部２０１の末端面２１４、一対の側面２１３Ｒ，２１３Ｌ及び基端面２１２は、それぞれ支持面Ｚに対して垂直とされている。よって、この状態で、これらの面のいずれかを支持面Ｚから垂直に立設された壁や仕切壁等に押し当てると、端末台２００及びスマートフォン４００をコンパクトに納めることができる。
【００５７】
また、上記の壁に押し当てられた状態では、端末台２００の接地部２０１の接地面２１１が支持面Ｚに支持されるのみならず、壁等に押し当てられた例えば端末台２００の載置部３０１の側面２１３Ｒ及び接地部２０１の側面２１３Ｒ等は壁に支持されている。よって、端末台２００はその上に載置されたスマートフォン４００をより安定的に支持することができる。さらに、利用者は、スマートフォン４００が安定的に支持された状態で、スマートフォン４００の表示部４１５Ａを見ることができるとともに、表示面４１５を操作することができる。
【００５８】
また、上記のように端末台２００の上にスマートフォン４００を載せた状態で、端末台２００の載置部３０１に載置されるスマートフォン４００の表示面４１５は、下縁面４１２から上縁面４１４に向かうにしたがって上方に向かうように傾斜している。よって、利用者が立ったり座ったりして端末ユニット１００と対向する場合、利用者は見やすい角度で表示部４１５Ａを見ることができる。
【００５９】
また、端末台２００の載置部３０１の裏面３１１と接地部２０１の上面２１５との間には、左右方向及び後方に向かって開口する空間部Ｓが形成されている。よって、利用者は端末台２００の上にスマートフォン４００を載せた状態で空間部Ｓに手の指を差し込んで載置部３０１を把持すればスマートフォン４００と端末台２００とを一体として、容易に持ち運ぶことができる。さらに、端末台２００の載置部３０１の裏面３１１には、滑りを防止する滑り止め部３４２が設けられているため、指から端末台２００が滑り落ちることなく安定した状態で、スマートフォン４００と端末台２００とを一体として持ち運ぶことができる。
【００６０】
また、端末台２００の接地部２０１の上面２１５には音声を発する音響部２２１が設けられているため、空間部Ｓ内に向かって効果的に音声を出力することができる。また、音響部２２１がマイクで構成されている場合には、音声を効果的に集音することができる。
【００６１】
また、スマートフォン４００の凸部４３０には撮像部４２６が設けられているため、利用者はスマートフォン４００単体で被写体を撮影することができるとともに、スマートフォン４００を端末台２００の上に載せたより安定した状態で被写体を撮影することができる。
【００６２】
さらに、スマートフォン４００の底面４１１が端末台２００の載置面３１５に対向した状態で、撮像部４２６の光軸４２６Ａは支持面Ｚと平行とされている。よって、支持面Ｚが水平の場合には、撮像部４２６は水平方向を向く撮影が可能となる。
【００６３】
また、スマートフォン４００と端末台２００とは、スマートフォン４００の上縁面４１４、下縁面４１２、側面４１３Ｒ，４１３Ｌ、表示面４１５及び端末台２００の接地面２１１で構成される六面体状をなしている。よって、スマートフォン４００と端末台２００とを一体として押出成形により製造することができる。
【００６４】
また、端末台２００の上にスマートフォン４００を載せた状態で、支持面Ｚに対して垂直とされるスマートフォン４００の下縁面４１２には、係合部４５１が設けられている。よって、利用者は端末台２００の上にスマートフォン４００を載せた状態で係合部４５１に対向した方向からストラップ等の外部部材を取り付けることができるため、容易に取り付けることができる。
【００６５】
なお、上述した実施の形態において示した動作手順、あるいは各構成部材の諸形状や組み合わせ等は一例であって、本発明の主旨から逸脱しない範囲において設計要求等に基づき種々変更可能である。
【００６６】
例えば、端末台２００の載置面３１５には、所定の条件下で発光する発光部（不図示）が設けられていてもよい。発光部は、端末台２００の充電部がスマートフォン４００の電源部に対して充電を行っているとき、または充電が完了したとき等に発光する。また、端末台２００の上にスマートフォン４００を載せた状態で、スマートフォン４００の底面４１１と端末台２００の載置面３１５との間には間隙が設けられ、端末台２００の基端面２１２側から発光部の発光を視認できる構成とされていてもよい。この場合には、端末台２００の上にスマートフォン４００を載せた状態で、利用者は間隙から発光部を視認して、スマートフォン４００の充電が行われていること等を知ることができる。よって、スマートフォン４００を端末台２００から取り外さずに知ることができるため、利便性が良い。
【００６７】
また、上述した実施形態においては、スマートフォン４００と載置部３０１と接地部２０１のそれぞれの底面４１１及び載置面３１５に対して交差する面が、互いに面一に形成されている。しかし、本発明はこれに限られず、スマートフォン４００と載置部３０１との交差する面のうち少なくとも一つの面が面一に形成されていればよい。この場合にも、スマートフォン４００及び載置部３０１のこの面一に形成されている面を揃えるようにして載置部３０１にスマートフォン４００を載置すればよいため、位置決めが視覚や触覚により容易にすることができる。
【００６８】
また、上述した実施形態においては、スマートフォン４００に凸部４３０が設けられ端末台２００に凹部３３０が設けられている。しかし、本発明はこれに限られず、スマートフォン４００に凹部が設けられ端末台２００の載置部３０１に凸部が設けられていてもよい。この場合にも、凹部と凸部とを嵌合することで、スマートフォン４００は端末台２００に対して左右方向及び上下方向の移動が規制された状態で端末台２００の上に載置されるため、スマートフォン４００は端末台２００により安定的に支持される。
【００６９】
また、音響部２２１は、端末台２００の載置部３０１の裏面３１１に設けられていてもよい。この場合にも、空間部Ｓ内に向かって効果的に音声を出力することができる。また、音響部２２１がマイクで構成されている場合には、音声を効果的に集音することができる。
【００７０】
また、滑り止め部３４２は、端末台２００の接地部２０１の上面２１５であってもよい。この場合にも、利用者が滑り止め部３４２に指を当てて接地部２０１を把持すれば、端末台２００を持ち運ぶ利用者の指から端末台２００が滑り落ちることなく安定した状態で、スマートフォン４００と端末台２００とを一体として持ち運ぶことができる。
【００７１】
スマートフォン４００に設けられた接続部は、外部に設けられたケーブル等との接続が可能なコネクタであってもよい。この場合には、よって、利用者は端末台２００の上にスマートフォン４００を載せた状態で接続部に対向した方向からケーブル等の外部部材を取り付けることができるため、容易に取り付けることができる。
【００７２】
また、撮像部４２６は、スマートフォン４００の下縁面４１２や側面４１３Ｒ，４１３Ｌに設けられていても良い。この場合には、端末台２００の上にスマートフォン４００を載せた状態で、前方や左右の被写体を撮像することができる。
【００７３】
また、端末台２００は、充電部を有していなくてもよい。この場合には、端末台２００はスマートフォンを載置する際に位置決めが容易な台として利用することができる。
【００７４】
また、スマートフォン４００には、表示面４１５に表示部４１５Ａがそもそも設けられておらず、後から表示面４１５に表示部４１５Ａを配置するものであってもよい。
【００７５】
また、上述した実施形態においては、電子機器の一例としてスマートフォン４００を例に挙げて説明したが、本発明はこれに限られず、携帯電話、ゲーム機器、タブレットＰＣ（Ｐｅｒｓｏｎａｌ  Ｃｏｍｐｕｔｅｒ）等の電子機器にも適用することができる。
【符号の説明】
【００７６】
１，１００…端末ユニット
２，２００…端末台
４，４００…端末
２１，２０１…接地部
３１，３０１…載置部
３５，３１５…載置面
２２１…音響部
３４１…第二通信部
３４２…滑り止め部
４５，４１５…表示面
４１，４１１…底面
４３０…凸部
４２１…撮像部
４２１Ａ…光軸
４４１…第一通信部
４５１…接続部
Ｓ…空間部
Ｚ…支持面
【図１】
2014180161.tif 000003
【図２】
2014180161.tif 000004
【図３】
2014180161.tif 000005
【図４】
2014180161.tif 000006
【図５】
2014180161.tif 000007
【図６】
2014180161.tif 000008
【図７】
2014180161.tif 000009
【図８】
2014180161.tif 000010
【図９】
2014180161.tif 000011
【図１０】
2014180161.tif 000012
【図１１】
2014180161.tif 000013
【図１２】
2014180161.tif 000014
【図１３】
2014180161.tif 000015
【図１４】
2014180161.tif 000016
【図１５】
2014180161.tif 000017
【図１６】
2014180161.tif 000018
【図１７】
2014180161.tif 000019
【図１８】
2014180161.tif 000020
【図１９】
2014180161.tif 000021
【図２０】
2014180161.tif 000022
【図２１】
2014180161.tif 000023
【図２２】
2014180161.tif 000024
【図２３】
2014180161.tif 000025